(57)【要約】【課題】筐体と扉から成る外装の内外を繋ぐ隙間から不正器具が挿入され電源ユニットの操作が不正に行われることを防止する。【解決手段】スライド機構３０１は、前記電源ユニット２３を、当該電源ユニット２３が前記筐体２の内側に収納される位置から当該電源ユニット２３の後方が前記電源ユニット挿通口９８を介して前記筐体２の外側に突出する位置までスライド可能な状態で保持する。スロットマシンを遊技施設に設置する場合、スライド機構３０１に保持された電源ユニット２３を電源ユニット挿通口９８の外側に突出する位置までスライドさせることで、筐体２内で前記電源ユニット２３の設定操作部の位置を後退させることができるので、筐体２と扉３から成る外装の内外を繋ぐ隙間から不正器具が挿入され電源ユニットの操作が不正に行われることを防止できる。【選択図】図７
2008148756.tif 000002
【特許請求の範囲】
【請求項１】
上面板、底面板、左右の側面板及び背面板を有して前方に開口を形成する筐体と、
前記筐体に対して回動可能に取り付けられることで前記開口を開閉可能な状態で閉塞させる前扉と、
前記筐体の外部から供給された電力から所定の電圧値の電力を生成して前記筐体内の制御基板に供給する電源ユニットとを備えた遊技機であって、
前記背面板に前記電源ユニットの少なくとも後方が挿通可能な電源ユニット挿通口が形成され、
前記筐体の内側で、前記電源ユニットの後方が前記電源ユニット挿通口を介して前記筐体の外側に突出する位置に当該電源ユニットを保持する保持手段を備えたことを特徴とする遊技機。
【請求項２】
前記保持手段には、前記筐体の内側で、前記電源ユニットを、当該電源ユニットが前記筐体の内側に収納される位置から当該電源ユニットの後方が前記電源ユニット挿通口を介して前記筐体の外側に突出する位置までスライド可能な状態で保持するスライド機構が設けられていることを特徴とする請求項１に記載の遊技機。
【発明の詳細な説明】
【技術分野】
【０００１】
本発明は、筐体の前面に前扉を備えるとともに所定の電圧値の電力を生成して構成要素に供給する電源ユニットを備える遊技機に関する。
【背景技術】
【０００２】
従来、スロットマシンやパチンコ機等の遊技機には、本体枠（筐体）の前面にヒンジを介して開閉可能に取り付けられた開閉扉（前扉）が不正に開放されることを防止するために、一般的に施錠装置が設けられている（例えば特許文献１参照）。この種の施錠装置としては、前扉に取り付けられたシリンダ錠と、コイルバネにより付勢されたフックと、シリンダ錠及びフックを機械的に連動させる連動機構とを有しており、筐体に設けられた受け金具にコイルバネにより付勢されたフックを係止させて扉を閉じた状態で施錠するようになっている。このような施錠装置の施錠を解除する場合には、シリンダ錠に対してキーによる解錠操作を行うことで、連動機構を介してフックを移動させ、フックによる前記受け金具の係止を解除して、前扉を開閉可能な状態にしている。
【０００３】
一方、スロットマシンは、遊技の際に払い出される遊技媒体の払い出し確率（ペイアウト率）、言い換えれば入賞役の当選確率の設定変更は、電源装置等に組み込まれる設定変更入力部で行われている。この設定変更入力部は、例えば６段階の入賞役の当選確率から１つを選択するための設定変更ボタンや現在の設定を確認する表示部、設定値を変更し確定する際に操作される確定スイッチ等から構成される。入賞役の当選確率の設定変更を変更する場合には、電源装置等に設けられた鍵穴に専用の鍵となる設定キーを挿入し、設定変更を有効とする位置まで設定キーを所定方向に回転させる。そして、スロットマシンの電源をオンにし、設定変更ボタンを操作選択した後に所定のスイッチ操作を行うことで入賞役の当選確率の設定変更を確定し実行することができる。なお、設定キーは遊技場の特定の店員又は経営者もしくは責任者しか保持所有していないので、遊技者等が設定変更を行うことができないようになっている（例えば特許文献２参照）。
【０００４】
【特許文献１】特開２００５−１２４８４９号公報
【特許文献２】特開２００６−５５５９６号公報
【発明の開示】
【発明が解決しようとする課題】
【０００５】
しかしながら従来の遊技機では、前扉のメダル払出口や前扉と筐体の間の隙間等、筐体と扉から成る外装の内外を繋ぐ隙間から不正器具が挿入され、電源ユニットに設けられた設定変更入力部の電源スイッチやリセット釦を操作してゲーム状態の変更、入賞役の当選確率の設定表示や設定変更が不正に行われたりすることがあった。
【０００６】
また、電源ユニットにはホッパ装置を駆動させる回路があり、前扉のメダル払出口や前扉と筐体の間の隙間等、筐体と扉から成る外装の内外を繋ぐ隙間から不正器具を挿入して、この回路をショートさせてメダルを払い出させる不正が行われたりすることがあった。
【０００７】
また、従来の遊技機では、液晶表示装置等の演出装置の大型化や追加を行った場合、演出装置自身の発熱量及び電源ユニットの発熱量が増大するため、これ以上の演出装置の大型化や追加が困難になっていた。
【０００８】
本発明は、こうした従来の問題に鑑みてなされたものであり、筐体と扉から成る外装の内外を繋ぐ隙間から不正器具が挿入され電源ユニットの操作が不正に行われることを防止できるとともに、電源ユニットの冷却効率が高めることができる遊技機を提供することを目的としている。
【課題を解決するための手段】
【０００９】
上述した課題を解決するため、請求項１に記載の発明は、上面板、底面板、左右の側面板及び背面板を有して前方に開口を形成する筐体と、前記筐体に対して回動可能に取り付けられることで前記開口を開閉可能な状態で閉塞させる前扉と、前記筐体の外部から供給された電力から所定の電圧値の電力を生成して前記筐体内の制御基板に供給する電源ユニットとを備えた遊技機であって、前記背面板に前記電源ユニットの少なくとも後方が挿通可能な電源ユニット挿通口が形成され、前記筐体の内側で、前記電源ユニットの後方が前記電源ユニット挿通口を介して前記筐体の外側に突出する位置に当該電源ユニットを保持する保持手段を備えたことを特徴とする。
【００１０】
請求項２に記載の発明は、請求項１に記載の遊技機であって、前記保持手段には、前記筐体の内側で、前記電源ユニットを、当該電源ユニットが前記筐体の内側に収納される位置から当該電源ユニットの後方が前記電源ユニット挿通口を介して前記筐体の外側に突出する位置までスライド可能な状態で保持するスライド機構が設けられていることを特徴とする。
【００１１】
請求項１に記載の遊技機によれば、前記電源ユニットの後方が前記電源ユニット挿通口を介して前記筐体の外側に突出する位置に当該電源ユニットを配置できるので、前記電源ユニットの前方を筐体内の後部に配置でき、筐体と扉から成る外装の内外を繋ぐ隙間から不正器具が挿入され電源ユニットの操作が不正に行われることを防止できるとともに、電源ユニットの冷却効率が高めることができる。
【００１２】
請求項２に記載の遊技機によれば、当該遊技機を輸送の際に前記電源ユニットを前記筐体の内側に収納される位置にスライドさせることで輸送の際に当該電源ユニットが嵩張るのを防止でき、当該遊技機を遊技施設に設置する場合、スライド機構に保持された電源ユニットを電源ユニット挿通口の外側に突出する位置までスライドさせることで、当該遊技機の筐体内で前記電源ユニットの設定操作部の位置を後退させることができるので、筐体と扉から成る外装の内外を繋ぐ隙間から不正器具が挿入され電源ユニットの操作が不正に行われることを防止できるとともに、電源ユニットの冷却効率が高めることができる。
【発明の効果】
【００１３】
本発明の遊技機によれば、筐体と扉から成る外装の内外を繋ぐ隙間から不正器具が挿入され電源ユニットの操作が不正に行われることを防止できるとともに、電源ユニットの冷却効率が高めることができるので、不正な遊技行為や不正なメダルの払い出しを防止できるとともに、液晶表示装置等の演出装置の大型化や追加が容易になる。
【発明を実施するための最良の形態】
【００１４】
以下、本発明に係る遊技機の好適な一実施形態をスロットマシンを例に図面を参照して説明する。なお、図１はスロットマシン１の外観構造を表した斜視図である。図２はスロットマシン１の背面図である。図３はスロットマシン１の右側面図である。図４は前扉３を開放した状態におけるスロットマシン１の内部構造を表した図である。図５はスロットマシン１の制御システムを表したブロック図である。
【００１５】
尚、図２は、スロットマシン１の背面側から見た状態で図示しており、図面に向かって右側がスロットマシン１の左側となり、図面に向かって左側がスロットマシン１の右側となっている。
【００１６】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００１７】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６ａが一体的に形成されたメダル受皿部６が設けられている。
【００１８】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１９】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２０】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２１】
また、パネル面４１には、裏面側に設けられている図示しないランプを点灯させることで例えば入賞役への当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数を表示する数値情報表示部４５と、入賞によって獲得したメダル数及び入賞役の抽選確率の設定を数値表示する数値情報表示部４００とが、それぞれ表示窓４２の周辺に設けられている。
【００２２】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００２３】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００２４】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２５】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２６】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２７】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２８】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２９】
さらに、操作卓７の前面の左隅には、ゲームに賭けられたメダルをキャンセルして払い出させることを指示するとともに、後述するメダルクレジット手段２０３（図５参照）が内部貯留したメダルを精算して払い出させることを指示するための精算ボタン７７が設けられている。
【００３０】
操作卓７の前面右側には、前扉用シリンダ錠７８が埋設されている。前扉用シリンダ錠７８には、前扉３を解錠するための前扉キーが挿入される鍵穴７９が設けられている。スロットマシン１の管理者等が鍵穴７９に所定の鍵を挿入して解錠操作すると、蝶番機構によって筐体２に取り付けられている前扉３を前方へ開くことができ、また前扉３を筐体２側に閉じると、自動的にこれらを施錠するようになっている。
【００３１】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。
【００３２】
下部パネル部５の下側に配置されたメダル受皿部６には、入賞時にメダルを排出するメダル払出口６１と、払い出されたメダルを貯留するメダル受皿６ａと、演出効果音を発生させるスピーカを内蔵する左右の演出用放音部６２ａ、６２ｂとが配置されている。
【００３３】
次に、筐体２の構造について詳細に説明する。
図２に示すように、筐体２は、上面板９１、底面板９２、左右の側面板９３、９４及び背面板９５で構成されている。
【００３４】
図３に示すように、左の側面板９３の中央部より若干下側の位置には、左の手掛け９６が形成されている。
【００３５】
図１に示すように、右の側面板９４の中央部より若干下側の位置には、右の手掛け９７が形成されている。
【００３６】
図２に示すように、背面板９５の左下コーナー近傍には、後述の電源ユニット２３の少なくとも後方が挿通可能な電源ユニット挿通口９８が板面を貫通して形成されている。また、背面板９５には、筐体２の内部を冷却するための複数の通気孔４０１、４０２…が形成されている。
【００３７】
図３及び図４に示すように、電源ユニット２３は、スライド機構３０１を介して底面板９２の上面に取り付けられている。
【００３８】
スライド機構３０１は、前記電源ユニット２３を当該電源ユニット２３が前記筐体２の内側に収納される位置から当該電源ユニット２３の後方が前記電源ユニット挿通口９８を介して前記筐体の外側に突出する位置までスライド可能な状態で保持している。
【００３９】
次に、図４を参照して、筐体２の内部構造と前扉３の裏面構造とを説明する。
図４において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００４０】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００４１】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００４２】
リールユニット１００の下方には、ホッパ装置２１と、ホッパ装置２１から溢れたメダルを収容するための補助貯留部２２と、電源ユニット２３が設けられている。電源ユニット２３の内部の右側には、電源基板２４が設けられている。
【００４３】
電源ユニット２３の本体の前面には電源スイッチ８１、リセット釦８２、設定錠８３等が設けられている。設定錠８３には、当該設定錠８３（図５参照）の動作を検出することで設定キーの動作を検出する設定キー動作検出スイッチ８８が設けられている。また、電源ユニット２３の本体の前面は、通常時、透明な扉８４により覆われている。
【００４４】
電源ユニット２３は、前記筐体２の電源ユニット挿通口９８を介しての筐体２の外部から供給された電力から所定の電圧値の電力を生成して主制御基板２０、ホッパ装置２１等のスロットマシン１の構成要素に供給する。
【００４５】
更に、筐体２の上部右側の内壁に、遊技場に設置されている「ホールコンピュータ」と呼ばれる管理用コンピュータと接続可能な外部集中端子基板２５が取り付けられている。
【００４６】
筐体２の右側内壁の前端近傍には、後述の前扉ロック機構部９０が係止する板状の固定板２６、２７が設けられている。
【００４７】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００４８】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２２０に収納されたサブ制御基板４０が取り付けられている。
【００４９】
主制御基板２０及びサブ制御基板４０は、スロットマシン１の作動を制御する制御基板である。
【００５０】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。中央表示基板３３の後側板面の右側（この場合の右側は、前扉３の前方から見た場合の右側を示している。）には、設定変更釦８６が設けられている。設定変更釦８６は、ヒンジ機構により開閉可能な透明カバー８７により覆われている。
【００５１】
中央表示基板３３の右斜め下方には、前扉用シリンダ錠７８が設けられている。
前扉３の裏面の右側には、前扉用シリンダ錠７８に連動して前記前扉３を前記筐体２に固定するとともに当該固定の解除を行う前扉ロック機構部９０が設けられている。
【００５２】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００５３】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００５４】
なお、スロットマシン１全体の動作は、筐体２側に設けられている主制御基板２０によって統括制御されており、サブ制御基板４０は、液晶表示装置４９、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００５５】
次に、図５のブロック図を参照して、スロットマシン１に設けられている制御システムについて説明する。
図５において、主制御基板２０は、ＣＰＵ２００と、記憶部２０１とを備えている。
【００５６】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００５７】
また、記憶部２０１にはメダルクレジット手段２０３が設けられている。メダルクレジット手段２０３はスロットマシン１が内部貯留するメダルの数であるクレジットをメモリに記憶する。
【００５８】
主制御基板２０には、ベットボタン７３、７４、スタートレバー７５、ストップボタン７６ａ、７６ｂ、７６ｃ、精算ボタン７７、電源スイッチ８１、リセット釦８２、設定変更釦８６等の操作スイッチ類、設定キー動作検出スイッチ８８等の検出スイッチ類、メダル選別装置３４のメダルセンサ３４ａ、電源ユニット２３の電源基板２４及びサブ制御基板４０等がハーネスを介して接続されている。尚、ホッパ装置２１は、電源ユニット２３から駆動電力が供給されるとともに、電源ユニット２３を介して主制御基板２０に接続され、主制御基板２０と信号の送受が行えるようになっている。
【００５９】
主制御基板２０は、前記操作スイッチ類やメダル選別装置３４のメダルセンサ３４ａからの出力信号によりゲームに係る操作を検出する。
【００６０】
主制御基板２０は、動作モードがメダルベット待機状態となっている場合において、メダルセンサ３４ａがメダルを検出した場合、検出したメダルをゲームの賭数に加算する。
【００６１】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００６２】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００６３】
主制御基板２０は、入賞が確定した場合等において、電源基板２４を介してホッパ装置２１を制御することで、所定数のメダルをメダル受皿６ａに払い出す。
【００６４】
また、主制御基板２０は、精算ボタン７７が操作された場合、ゲームに賭けられたメダルをキャンセルしてホッパ装置２１に払い出させるとともに、メダルクレジット手段２０３（図５参照）が内部貯留したメダルを精算してホッパ装置２１に精算前のクレジット数のメダルを払い出させる。
【００６５】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、遊技者の視覚や聴覚に訴える演出をゲームの進行に応じて行っている。
【００６６】
一方、主制御基板２０の記憶部２０１には、入賞抽選テーブル２０４及び内部抽選フラグ２０５が記憶されている。主制御基板２０には、乱数値のデータを発生する乱数発生装置２０６がＣＰＵ２００に接続した状態で設けられている。例えばＣＰＵ２００は、スタートレバー７５の操作を検出した時点で乱数発生装置２０６から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００６７】
入賞抽選テーブル２０４は、乱数値と対応する入賞役の組み合わせを１から６までの設定に応じて複数種有しており、後述の入賞役の抽選確率の変更を行う設定変更手段に操作に応じて乱数値に対応する入賞役を変更できるようになっている。
【００６８】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００６９】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００７０】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００７１】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６ａへ払い出す。
【００７２】
以下、本実施形態の要部となる電源ユニット２３及びスライド機構３０１について詳細に説明する。
図６は、電源ユニット２３の分解斜視図である。図７は、筐体２に収納された電源ユニット２３及びその周辺部を破断して示す斜視図である。図８は、筐体２から後方に突出した電源ユニット２３及びその周辺部を破断して示す斜視図である。図９は、スライド部材６０７、６０８が前方に停止した状態におけるスライド機構３０１及びその周辺部を示す斜視図である。図１０は、スライド部材６０７、６０８が後方に停止した状態におけるスライド機構３０１及びその周辺部を示す斜視図である。図１１は、スライド機構３０１のスライド部材停止ユニット６１１及びその周辺部を示す斜視図である。
【００７３】
尚、図７乃至１１は、スロットマシン１の背面側から見た状態で図示しており、図面に向かって右側がスロットマシン１の左側となり、図面に向かって左側がスロットマシン１の右側となっている。
【００７４】
図６において、電源ユニット２３は、電源ユニット本体５０１と、ねじりバネ５０２と、摘み部材５０３と、扉８４とから構成されている。
【００７５】
電源ユニット本体５０１は、箱形の筐体５１１の内部に電源基板２４を収納し、筐体５１１の前面部５１２に電源スイッチ８１、リセット釦８２、設定錠８３等を設けたものである。前面部５１２の左上コーナー及び左下のコーナーの若干内側には、扉８４の回動軸となる棒状部材５１３、５１４が設けられている。
【００７６】
扉８４は透明樹脂を板状に形成したものである。扉８４の左上コーナー及び左下のコーナーには、当該扉８４の回動軸となる棒状部材５１３、５１４にそれぞれ掛かるフック部５２１、５２２がそれぞれ形成されている。扉８４の右側中間部には、摘み部材５０３を取り付ける取付孔５２３が形成されている。摘み部材５０３の前部には、指で握られる円形部５３１が形成されている。摘み部材５０３の後部には、筐体５１１の前面部５１２に形成された嵌合穴５１５と嵌合する嵌合部５３２が形成されている。扉８４と前面部５１２の間には、ねじりバネ５０２が設けられている。ねじりバネ５０２は、前面部５１２を閉塞する方向に扉８４を付勢している。
【００７７】
このような構造により、電源ユニット２３は、作業者が摘み部材５０３の円形部５３１を指で引くことで摘み部材５０３の嵌合部５３２が嵌合穴５１５から外れ、扉８４が棒状部材５１３、５１４を中心にして回動して開き、前面部５１２の電源スイッチ８１、リセット釦８２、設定錠８３等の操作部が操作可能となる。
【００７８】
また、電源ユニット２３は、扉８４が開いた状態で作業者が円形部５３１から指を離せば、ねじりバネ５０２の付勢により扉８４が閉まる方向に回動し、摘み部材５０３の嵌合部５３２が嵌合穴５１５に挿入して嵌合し、扉８４が閉まった状態で固定される。
【００７９】
一方、設定錠８３には設定キーが挿入される鍵穴５４１が形成されている。
【００８０】
筐体５１１の上面部５１６には、第１乃至第３のコネクタ用開口部５５１、５５２、５５３及び複数の通気用スリット５５４、５５４…５５４が形成されている。
【００８１】
第１乃至第３のコネクタ用開口部５５１、５５２、５５３は、横方向が長手方向となる長孔形状で上面部５１６の前部５６０に形成されている。
【００８２】
第１のコネクタ用開口部５５１は、第１の電源ユニット側コネクタ５６１を露出させるためのものであり、前部５６０の後ろ寄りに設けられている。第１の電源ユニット側コネクタ５６１は、図７に示すように、主制御基板２０（図４参照）に電気的に接続するハーネス８０１のハーネス側コネクタ８１１と結合する。
【００８３】
図６において、第２のコネクタ用開口部５５２は、第２の電源ユニット側コネクタ５６２を露出させるためのものであり、前部５６０の左前側コーナー寄りに設けられている。電源ユニット側コネクタ５６２は、図７に示すように、サブ制御基板４０（図４参照）に電気的に接続するハーネス８０２のハーネス側コネクタ８１２と結合する。
【００８４】
図６において、第３のコネクタ用開口部５５３は、第３の電源ユニット側コネクタ５６３を露出させるためのものであり、前部５６０の右前側コーナー寄りに設けられている。電源ユニット側コネクタ５６３は、図７に示すように、ホッパ装置２１（図４参照）に電気的に接続するハーネス８０３のハーネス側コネクタ８１３と結合する。
【００８５】
電源ユニット２３の電源基板２４は、第１の電源ユニット側コネクタ５６１及びハーネス８０１（図７参照）を介して主制御基板２０（図４参照）に、各種電力を供給するとともにリセット釦８２、設定錠８３等の操作により得られた操作検出信号を供給する。
【００８６】
また、電源基板２４は、第２の電源ユニット側コネクタ５６２及びハーネス８０２（図７参照）を介してサブ制御基板４０（図４参照）に各種電力を供給する。
【００８７】
また、電源基板２４には、主制御基板２０（図４参照）が生成したホッパ装置制御用のコマンドデータが、ハーネス８０１（図７参照）及び第１の電源ユニット側コネクタ５６１を介して供給される。さらに、電源基板２４には、ホッパ装置２１（図４参照）を駆動させる回路が設けられている。電源基板２４は、主制御基板２０（図４参照）から供給されるコマンドデータに基づいて所定の電圧値の駆動電力を所定の期間、電源ユニット側コネクタ５６３及びハーネス８０３を（図７参照）介してホッパ装置２１（図４参照）のモータ等に供給し、ホッパ装置２１（図４参照）を駆動してメダルの払い出しを行わせる。
【００８８】
図７及び図８において、筐体５１１の背面部５１７には、取っ手５７１、複数の通気孔５７２、５７２…５７２が設けられている。取っ手５７１は、背面部５１７の中央より若干上側の位置に設けられている。筐体５１１の背面部５１７の右下コーナー近傍には、交流電源に接続される電源コード５７３が延出している。複数の通気孔５７２、５７２…５７２は、背面部５１７の板面を貫通した丸孔であり、背面部５１７の取っ手５７１及び電源コード５７３を除く部分に均等に設けられている。
【００８９】
このような電源ユニット２３は、スライド機構３０１を介して底面板９２の上面に取り付けられている。
【００９０】
図９及び図１０において、スライド機構３０１は、脚部６０１、６０２、６０３、６０４と、左右の棒状部材６０５、６０６と、左右のスライド部材６０７、６０８と、取付板６１０と、前後のスライド部材停止ユニット６１１、６１２とを備えて構成されている。
【００９１】
左右の棒状部材６０５、６０６は、ステンレス鋼等の金属を丸棒状に形成したものである。脚部６０１、６０２は、それぞれ底面板９２の上面の左端近傍における前側及び後側の位置にネジ止め固定され、それぞれ左側の棒状部材６０５の前端及び後端を底面板９２の上面より所定距離高い位置で保持する。脚部６０３、６０４は、それぞれ底面板９２の上面の脚部６０１、６０２から所定間隔を置いた右側の位置にネジ止め固定され、それぞれ右側の棒状部材６０６の前端及び後端を底面板９２の上面より所定距離高い位置で保持する。
【００９２】
スライド部材６０７は、板状部６２１の前端及び後端に下方に延びる舌片６２２、６２３を形成したものである。舌片６２２、６２３には、棒状部材６０５を通す貫通孔６２４、６２５が形成されている。板状部６２１の上面には、取付板６１０の左後部がネジ６２６、６２７によりネジ止め固定されている。
【００９３】
スライド部材６０８は、板状部６３１の前端及び後端に下方に延びる舌片６３２、６３３を形成したものである。舌片６３２、６３３には、棒状部材６０６を通す貫通孔６３４、６３５が形成されている。板状部６３１の上面には、取付板６１０の右後部がネジ６３６、６３７によりネジ止め固定されている。
【００９４】
また、板状部６３１の下面の右後部には突起部６４１が下方に突出して形成されている。突起部６４１は、スライド部材６０８の位置に応じて前後のスライド部材停止ユニット６１１、６１２により保持されるようになっている。
【００９５】
取付板６１０の上面には、図７及び図８に示すように電源ユニット２３がネジ止めにより取り付け固定されるようになっている。
【００９６】
以下、前側のスライド部材停止ユニット６１１について詳細に説明する。
図１１において、前側のスライド部材停止ユニット６１１は、固定部材６５１と、ねじりバネ６５２と、可動保持部６５３とから構成されている。
【００９７】
固定部材６５１は、底面板９２の上面の脚部６０３より若干後方で右寄の位置にネジ６５４、６５５によりネジ止め固定されている。
固定部材６５１の上面には、フック６５６と、上方に向けて突出する突起部６５７が形成されている。
突起部６５７の上端面には、ネジ孔６６８が形成されている。
【００９８】
一方、可動保持部６５３の下面には、フック６６９が形成されている。可動保持部６５３の基端部６７０には、板面を貫通して貫通孔６７１が形成されている。
【００９９】
可動保持部６５３の左側前寄りには、前方から順に凸部６７２、凹部６７３、凸部６７４が比較的緩やかなカーブで形成されている。
【０１００】
ねじりバネ６５２は、そのコイル部の内側に突起部６５７が挿入され、一端が固定部材６５１のフック６５６に係止し、他端が可動保持部６５３のフック６６９に係止することで、凸部６７２、凹部６７３及び凸部６７４を棒状部材６０６側に付勢している。
【０１０１】
ねじりバネ６５２のコイル部の上方に突出する突起部６５７は、可動保持部６５３の貫通孔６７１に挿入された状態で、ネジ孔６６８にネジ６７２が取り付けられる。ここで、ネジ６７２のネジ頭は、可動保持部６５３の貫通孔６７１よりも大径になっているので、ネジ孔６６８にネジ６７２が取り付けた状態では、可動保持部６５３は、突起部６５７から外れない。
【０１０２】
スライド部材６０８が最も前方にスライドした状態では、凹部６７３にスライド部材６０８の突起部６４１が挿入し、突起部６４１が凸部６７２、６７４に挟まれた状態で、凹部６７３が突起部６４１側に付勢されるので、スライド部材６０８は、後方に向けて所定以上の力を加えられるまで、凹部６７３から離れられない状態となる。
【０１０３】
また、図９及び図１０に示す後側のスライド部材停止ユニット６１２も、前側のスライド部材停止ユニット６１１と同様の構造になっており、後側のスライド部材停止ユニット６１２は、固定部材６８１と、可動保持部６８２と、ねじりバネ６８３とから構成されている。スライド部材６０８が最も後方にスライドした状態では、可動保持部６８２の凹部７０３にスライド部材６０８の突起部６４１が挿入し、スライド部材６０８は、前方に向けて所定以上の力を加えられるまで、凹部７０３から離れられない状態となる。
【０１０４】
このような構造により、筐体２は、上面板９１、底面板９２、左右の側面板９３、９４及び背面板９５を有して前方に開口８を形成する。
【０１０５】
前扉３は、前記筐体２に対して回動可能に取り付けられることで前記開口８を開閉可能な状態で閉塞させる。
【０１０６】
電源ユニット２３は、前記筐体２の外部から供給された電力から所定の電圧値の電力を生成して前記筐体内の制御基板に供給するとともに、入賞役の抽選確率の設定を変更するための操作が行われる設定操作部を有する。前記制御基板とは、主制御基板２０及びサブ制御基板４０のことである。
【０１０７】
電源ユニット２３の前記設定操作部は、電源スイッチ８１及び設定錠８３のことである。
前記背面板９５には、前記電源ユニット２３の少なくとも後方が挿通可能な電源ユニット挿通口９８が形成されている。
【０１０８】
スライド機構３０１は、前記筐体２の内側で、前記電源ユニット２３を当該電源ユニット２３が前記筐体２の内側に収納される位置から当該電源ユニット２３の後方が前記電源ユニット挿通口９８を介して前記筐体２の外側に突出する位置までスライド可能な状態で保持する。
【０１０９】
また、スライド機構３０１は、前記筐体２の内側で、前記電源ユニット２３の後方が前記電源ユニット挿通口９８を介して前記筐体２の外側に突出する位置に当該電源ユニット２３を保持する保持手段となっている。
【０１１０】
ＣＰＵ２００、入賞抽選テーブル２０３及び乱数発生装置２０５は、所定の第１の遊技操作を契機に乱数値を取得し、取得した当該乱数値に基づいて入賞役を抽選する抽選手段となっている。
前記第１の遊技操作は、レバー７５のオン操作のことである。
【０１１１】
ＣＰＵ２００及びホッパ装置２１は、前記抽選手段が抽選した入賞役及び所定の第２の遊技操作に基づいて、遊技媒体を前記前扉３の内側から外側に向けて払い出す遊技媒体払い出し手段となっている。
【０１１２】
前記第２の遊技操作は、ストップボタン７６ａ、７６ｂ、７６ｃのオン操作のことである。
【０１１３】
主制御基板２０、主電源装置２３及び設定変更釦８６は、前記抽選手段による入賞役の抽選確率の設定の変更を行う設定変更手段となっている。
【０１１４】
以下、本スロットマシン１のスライド機構３０１に関係する動作を説明する。
まず、本スロットマシン１（図１参照）を輸送する場合には、図７及び図９に示すように、スライド部材６０７、６０８を最も前方にスライドさせ、可動保持部６５３の凹部６７３にスライド部材６０８の突起部６４１が挿入した状態とする。この位置では、電源ユニット２３の背面部５１７は、電源ユニット挿通口９８の若干内側に配置し、電源ユニット２３が筐体２内に完全に収納された状態となる。ここで、スライド部材６０８は所定以上の力を加えるまで、突起部６４１が凹部６７３からから離れられない状態となる。このため、スロットマシン１が後方に傾いたとしても電源ユニット挿通口９８から電源ユニット２３が突出することはない。
【０１１５】
次に、スロットマシン１を遊技施設に配置する場合には、図７に示す電源ユニット２３の背面部５１７が電源ユニット挿通口９８の若干内側に配置した位置から作業員が取っ手５７１を所定以上の力で引くことで、突起部６４１が凹部６７３から外れ、電源ユニット挿通口９８から電源ユニット２３の背面が外側に突出する。
【０１１６】
さらに作業員が取っ手５７１を後方に引くことで、電源ユニット挿通口９８から電源ユニット２３の中間部７１１及び後部７１２が突出し、スライド部材６０７、６０８の舌片６３２、６３３が後方の脚部６０３、６０４に当接する。この状態では、突起部６４１が可動保持部６８３の凹部７０３に挿入し、スライド部材６０８は所定以上の力を加えるまで、突起部６４１から凹部７０３から離れられない状態となる。これにより、スロットマシン１が前方に傾いたとしても電源ユニット２３は前方に移動することはない。
【０１１７】
スロットマシン１は、当該電源ユニット２３の中間部７１１及び後部７１２が前記電源ユニット挿通口９８を介して前記筐体２の外側に突出した状態で稼働させる。
【０１１８】
尚、当該電源ユニット２３は、スロットマシン１の前方から見て、全体がスロットマシン１の中央より左側に配置するため、２台のスロットマシン１の背中を向き合わせて配置した場合、電源ユニット２３同士が接触することがなく、前記筐体２同士の隙間をあまり大きく確保する必要がない。
【０１１９】
以下、スロットマシン１の設定変更を行う場合の動作について説明する。
設定変更を行う場合、作業者は、前扉キーを用いて前扉用シリンダ錠７８（図１参照）に対して解錠操作を行い、次に筐体２（図４参照）に対して前扉３（図４参照）を開き、図６に示す電源ユニット２３の扉８４を開き、電源スイッチ８１をオフし、この後、設定錠８３の鍵穴５４１に設定キーを挿入し、設定キーを右回りに回して設定キーの幅方向をオン方向にし、電源スイッチ８１をオンし、設定変更釦８６（図４参照）をｎ回押すことで、設定候補値をｎ回変更し、レバー７５をオン操作することで、設定候補値を実際の設定値として主制御基板２０の記憶部２０１に記憶させる。この後、設定錠８３に差し込まれた設定キーを左回りに回して設定キーの幅方向をオフ方向にし、設定錠８３から設定キーを引き抜き、電源スイッチ８１をオンし、次に筐体２に対して前扉３を閉塞することでスロットマシン１が遊技可能になる。
【０１２０】
このような正規の設定変更の操作は、電源ユニット２３が図７に示した収納状態と図８に示した突出状態の両方で可能である。
【０１２１】
かかる構成のスロットマシン１によれば、当該スロットマシン１を遊技施設に設置する場合、スライド機構３０１に保持された電源ユニット２３の中間部７１１及び後部７１２を電源ユニット挿通口９８の外側に突出する位置までスライドさせることで、筐体２内で前記電源ユニット２３の設定操作部としての設定錠８３等の位置を後退させることができるので、扉３と筐体２の隙間やメダル払出口６１等の外装の内外を繋ぐ隙間から不正器具が挿入され、電源ユニット２３の操作が不正に行われたり電源ユニット２３の内部回路を不正にショートされたりすること防止できる。これにより、不正な遊技行為や不正なメダルの払い出しを防止できる。また、電源ユニット２３の中間部７１１及び後部７１２を電源ユニット挿通口９８の外側に突出させることで、電源ユニット２３内の加熱した空気を上方の複数の通気用スリット５５４、５５４…５５４から筐体２の外側に排気できるので、電源ユニット２３の冷却効率が高めることができ、液晶表示装置４９の大型化が容易になる。
【０１２２】
尚、図１乃至図１１に示した実施形態では、電源ユニット２３をスライド可能な状態で保持するスライド手段として、左右の棒状部材６０５、６０６を左右のスライド部材６０７、６０８がスライドする構造のものを用いたが、スライド手段としては、レールとローラの組み合わせ等、各種適用可能である。
【０１２３】
図１２乃至図１４は、本発明に係る遊技機の好適な他の実施形態を示しており、図１２は、電源ユニット９００の分解斜視図である。図１３は、筐体２から後方に突出した電源ユニット９００及びその周辺部を破断して示す斜視図である。図１４は、電源ユニット９００の上部の断面図である。
【０１２４】
尚、図１２乃至図１４を用いた説明では、図１乃至図１１に示した他の実施形態と同様の構成要素に同じ部号を付し、説明を省略する。また、他の実施形態の図１２乃至図１４に図示していない部分は、図１乃至図１１に示した実施形態と同様になっている。
【０１２５】
図１２において、電源ユニット９００は、電源ユニット本体９０１と、ねじりバネ５０２と、摘み部材５０３と、扉８４とから構成されている。
【０１２６】
電源ユニット本体９０１は、箱形の筐体９０２の内部に電源基板２４を収納し、筐体９０２の前面部９０３に電源スイッチ８１、リセット釦８２、設定錠８３等を設けている。筐体９０２の上面部９１０には、複数の通気用スリット５５４、５５４…５５４が形成されている。
【０１２７】
前面部９０３の上部には、ストッパ板９０４が設けられている。ストッパ板９０４は、上面部９１０より上方に突出している。このストッパ板９０４は、前面部９０３と一体形成され前側収納部９２１と、当該前側収納部９２１に取り付けられる背面板９２２とにより構成される。
【０１２８】
図１４において、前側収納部９２１には、端子基板９０５を収納する凹部９２３が形成される。背面板９２２は、凹部９２３を閉塞する。
【０１２９】
端子基板９０５は、凹部９２３の奥面に複数のネジ９２４、９２４によってネジ止め固定される。背面板９２２は、凹部９２３を閉塞した状態で図１３に示す複数のネジ９２５、９２５によって前側収納部９２１の背面側にネジ止め固定される。
【０１３０】
また、図１２において、前側収納部９２１の前面には、横方向が長手方向となる長孔形状の第１乃至第３のコネクタ用開口部９３１、９３２、９３３が形成されている。
【０１３１】
第１のコネクタ用開口部９３１は、端子基板９０５に実装された第１の電源ユニット側コネクタ５６１を露出させるためのものであり、前側収納部９２１の前面の上寄りに形成されている。第２及び第３のコネクタ用開口部９３２、９３３は、端子基板９０５に実装された第２及び第３の電源ユニット側コネクタ５６２、５６３を露出させるためのものであり、前側収納部９２１の前面の下寄に左右に並べて形成されている。
【０１３２】
第１乃至第３の電源ユニット側コネクタ５６１、５６２、５６３は、それぞれハーネス８０１、８０２、８０３のハーネス側コネクタ８１１、８１２、８１３と結合する。
【０１３３】
端子基板９０５は、ハーネス９２６を介して電源基板２４に接続されている。
【０１３４】
このような電源ユニット９０１は、図１３に示すスライド機構９４１を介して底面板９６１の上面に取り付けられている。
【０１３５】
図１３において、スライド機構９４１は、脚部６０１、６０２、６０３、６０４と、左右の棒状部材９５１、９５２と、左右のスライド部材６０７、６０８と、取付板６１０と、前側のスライド部材停止ユニット６１１を備えて構成されている。
【０１３６】
左右の棒状部材９５１、９５２は、図７乃至図１０に示した実施形態の左右の棒状部材６０５、６０６より長く形成されている。後側の脚部６０２、６０４は、図７乃至図１０に示した実施形態より背面板９５に近接して設けられている。左右のスライド部材６０７、６０８は、図７乃至図１０に示した実施形態と同様の構造で左右の棒状部材９５１、９５２に対してスライドする。
【０１３７】
また、本実施形態では、前側のスライド部材停止ユニット６１１を設けているが、図７乃至図１０に示した後側のスライド部材停止ユニット６１２は設けていない。
【０１３８】
電源ユニット本体９０１は、スライド機構９４１により最も後側にスライドした状態では、ストッパ板９０４の背面板９２２が前記背面板９５の内面の電源ユニット挿通口９８より上側に当接してこれ以上の後方へのスライドを禁止している。
【０１３９】
かかる構成の電源ユニット９００及びスライド機構９４１によれば、スロットマシンを遊技施設に設置する場合、スライド機構９４１に保持された電源ユニット９００をストッパ板９０４の背面板９２２が前記背面板９５の内面に当接する位置まで電源ユニット挿通口９８の外側にスライドさせることで、筐体２内で前記電源ユニット２３の設定操作部としての設定錠８３の位置を後退させることができるので、図１乃至図１１に示した実施形態と同様の効果が得られとともに、電源ユニット９００の外側への突出量を図１乃至図１１に示した実施形態より増大させることも可能になり、冷却効果を更に高めることが可能になり、液晶表示装置等の演出装置の大型化や追加が容易になる。
【０１４０】
尚、図１乃至図１４に示した実施形態では、電源ユニットをスライド可能な状態で保持するスライド手段として、左右の棒状部材を左右のスライド部材がスライドする構造のものを用いたが、スライド手段としては、レールとローラの組み合わせ等、各種適用可能である。
【産業上の利用可能性】
【０１４１】
本発明は、スロットマシンに限らず、雀球遊技機、メダルを使用するアレンジボール等の他の遊技機に応用することができる。
【図面の簡単な説明】
【０１４２】
【図１】図１は、本発明の一実施形態によるスロットマシンの外観構造を表した斜視図である。
【図２】図２は、本発明の一実施形態によるスロットマシンの背面図である。
【図３】図３は、本発明の一実施形態によるスロットマシンの右側面図である。
【図４】図４は、本発明の一実施形態によるスロットマシンの内部構造を表した図である。
【図５】図５は、本発明の一実施形態によるスロットマシンの制御システムを表したブロック図である。
【図６】図６は、本発明の一実施形態による電源ユニット２３の分解斜視図である。
【図７】図７は、本発明の一実施形態による筐体に収納された電源ユニット及びその周辺部を破断して示す斜視図である。
【図８】図８は、本発明の一実施形態による筐体から後方に突出した電源ユニット２３及びその周辺部を破断して示す斜視図である。
【図９】図９は、本発明の一実施形態によるスライド部材が前方に停止した状態におけるスライド機構及びその周辺部を示す斜視図である。
【図１０】図１０は、本発明の一実施形態によるスライド部材が後方に停止した状態におけるスライド機構及びその周辺部を示す斜視図である。
【図１１】図１１は、本発明の一実施形態によるスライド機構のスライド部材停止ユニット及びその周辺部を示す斜視図である。
【図１２】図１２は、本発明の他の実施形態による電源ユニットの分解斜視図である。
【図１３】図１３は、本発明の他の実施形態による筐体２から後方に突出した電源ユニット及びその周辺部を破断して示す斜視図である。
【図１４】図１４は、本発明の一他の実施形態による電源ユニットの上部の断面図である。
【符号の説明】
【０１４３】
１…スロットマシン、２…筐体、３…前扉、４…上部パネル部、
５…下部パネル部、６…メダル受皿部、６ａ…メダル受皿、
７…操作卓、８…開口、２０…主制御基板、２１…ホッパ装置、
２２…補助貯留部、２３…電源ユニット、２４…電源基板、
２５…外部集中端子基板、２６、２７…固定板、
２８…水平面部、３０、３１ａ、３１ｂ…発光駆動部、
３２ａ、３２ｂ、３８ａ、３８ｂ…スピーカ、３３…中央表示基板、
３４…メダル選別装置、３４ａ…メダルセンサ、３５…ガイド部材、
３６…ガイド部材、３７…ガイド部材、３８ａ、３８ｂ…スピーカ、
４０…サブ制御基板、４１…パネル面、４２…表示窓、
４３…遊技状態表示部、４４…操作アシスト表示部、
４５…数値情報表示部、４６、４７ａ、４７ｂ…演出用照明部、
４８ａ、４８ｂ、６２ａ、６２ｂ…演出用放音部、
４９…液晶表示装置、４９ａ…表示窓、５０…パネル板、
５１…表示パネル、５２ａ、５２ｂ…左右の演出用照明部、
６１…メダル払出口、６２ａ、６２ｂ…演出用放音部、
７１…メダル投入部、７２…メダル投入口、
７３、７４…ベットボタン、７５…スタートレバー、
７６ａ、７６ｂ、７６ｃ…ストップボタン、７７…精算ボタン、
７８…前扉用シリンダ錠、７９…鍵穴、８１…電源スイッチ、
８２…リセット釦、８３…設定錠、８４…扉、
８６…設定変更釦、８７…透明カバー、
８８…設定キー動作検出スイッチ、９０…前扉ロック機構部、
９１…上面板、９２…底面板、９３、９４…側面板、９５…背面板、
９６、９７…手掛け、９８…電源ユニット挿通口、
１００…リールユニット、１０１ａ、１０１ｂ、１０１ｃ…リール、
１１０ａ、１１０ｂ、１１０ｃ…ステッピングモータ、
１３０…回胴装置基板、２００…ＣＰＵ、２０１…記憶部、
２０２…システムプログラム、２０３…メダルクレジット手段、
２０４…入賞抽選テーブル、２０５…内部抽選フラグ、
２０６…乱数発生装置、２２０…基板ケース、
３０１…スライド機構、４００…数値情報表示部、
４０１、４０２…通気孔、５０１…電源ユニット本体、
５０２…ねじりバネ、５０３…摘み部材、５１１…筐体、
５１２…前面部、５１３、５１４…棒状部材、５１５…嵌合穴、
５１６…上面部、５１７…背面部、５２１、５２２…フック部、
５２３…取付孔、５３１…円形部、５３２…嵌合部、５４１…鍵穴、
５５１、５５２、５５３…コネクタ用開口部、
５５４…通気用スリット、５６０…前部、
５６１、５６２、５６３…電源ユニット側コネクタ、
５７１…取っ手、５７２…通気孔、５７３…電源コード、
６０１、６０２、６０３、６０４…脚部、
６０５、６０６…棒状部材、６０７、６０８…スライド部材、
６１０…取付板、６１１、６１２…スライド部材停止ユニット、
６２１…板状部、６２２、６２３…舌片、６２４、６２５…貫通孔、
６２６、６２７…ネジ、６３１…板状部、６３２、６３３…舌片、
６３４、６３５…貫通孔、６３６、６３７…ネジ、６４１…突起部、
６５１…固定部材、６５２…ねじりバネ、６５３…可動保持部、
６５４、６５５…ネジ、６５６…フック、６５７…突起部、
６６８…ネジ孔、６６９…フック、６７０…基端部、６７１…貫通孔、
６７２、６７４…凸部、６７３…凹部、６８０…ねじ、６８１…固定部材、
６８２…可動保持部、６８３…バネ、７０３…凹部、
７１１…中間部、７１２…後部、
８０１、８０２、８０３…ハーネス、
８１１、８１２、８１３…ハーネス側コネクタ、９００…電源ユニット、
９０１…電源ユニット本体、９０２…筐体、９０３…前面部、
９０４…ストッパ板、９１０…上面部、９２１…前側収納部、
９２２…背面板、９２３…凹部、９２４、９２５…ネジ、
９３１、９３２、９３３…コネクタ用開口部、９４１…スライド機構、
９５１、９５２…棒状部材、９６１…底面板
【図１】
2008148756.tif 000003
【図２】
2008148756.tif 000004
【図３】
2008148756.tif 000005
【図４】
2008148756.tif 000006
【図５】
2008148756.tif 000007
【図６】
2008148756.tif 000008
【図７】
2008148756.tif 000009
【図８】
2008148756.tif 000010
【図９】
2008148756.tif 000011
【図１０】
2008148756.tif 000012
【図１１】
2008148756.tif 000013
【図１２】
2008148756.tif 000014
【図１３】
2008148756.tif 000015
【図１４】
2008148756.tif 000016